(57)【要約】【課題】チューナー部から無線送信された映像音声信号を表示部が正常に受信できず、映像表示が中断した場合であっても、映像表示が中断した時点から映像表示を再開することができるテレビ放送受信装置を提供する。【解決手段】テレビ放送受信装置は、フレーム情報が付加された映像音声信号を無線送信するチューナー部１と、放送信号及びフレーム情報を記録する記録部２と、無線送信された映像音声信号を受信する表示部３とを備え、表示部３が欠落したフレームのフレーム情報を含む受信状態情報を送信し、チューナー部１が受信状態情報を受信したときに、チューナー部１は、欠落したフレームのフレーム情報に対応する放送信号を、記録部２から読み出し、読み出された放送信号を映像音声信号に変換し、表示部３に無線送信する。【選択図】図１
2011049670.tif 000002
【特許請求の範囲】
【請求項１】
チューナー部と、情報を記録する記録部と、表示部とを有するテレビ放送受信装置であって、
前記チューナー部は、
放送信号を受信する放送信号受信部と、
前記放送信号を前記表示部に適した形式の映像音声信号に変換する信号処理部と、
前記映像音声信号を構成する映像信号のフレームに該フレームの順番を示すフレーム情報を付加するフレーム情報付加部と、
前記フレーム情報が付加された前記映像音声信号を無線送信する無線送信部と、
前記放送信号及び前記フレーム情報を前記記録部に記録させ、及び、前記記録部に記録されている前記放送信号を前記記録部から読み出す記録再生制御部と、
前記無線送信部から無線送信された前記映像音声信号の受信状態情報を受信する受信状態検出部とを有し、
前記表示部は、
前記無線送信部から無線送信された前記映像音声信号を受信する無線受信部と、
映像を表示する表示装置と、
前記無線受信部で受信された前記映像音声信号に基づく映像を前記表示装置に表示させる表示処理部と、
前記無線受信部で受信された前記映像音声信号でフレームの欠落が発生したか否かを判定し、フレームの欠落が発生したと判定した場合には、前記欠落したフレームのフレーム情報を含む判定結果を前記受信状態情報として前記受信状態検出部に送信する受信状態監視部とを有する
ことを特徴とするテレビ放送受信装置。
【請求項２】
前記受信状態検出部が、前記欠落したフレームのフレーム情報を含む前記受信状態情報を受信したときに、
前記記録再生制御部は、前記欠落したフレームのフレーム情報に対応する前記放送信号を、前記記録部から読み出し、前記信号処理部は、読み出された前記放送信号を前記映像音声信号に変換し、前記無線送信部は、前記映像音声信号を前記無線受信部に無線送信する
ことを特徴とする請求項１に記載のテレビ放送受信装置。
【請求項３】
前記信号処理部は、
前記放送信号受信部が受信した前記放送信号を復調するデジタル復調器と、
前記復調された放送信号をデコードして前記映像音声信号とするデコーダと
を有することを特徴とする請求項１又は２に記載のテレビ放送受信装置。
【請求項４】
前記受信状態監視部から前記受信状態検出部への前記受信状態情報の送信は、無線送信又は有線送信により行われることを特徴とする請求項１乃至３のいずれか１項に記載のテレビ放送受信装置。
【請求項５】
前記フレーム情報は、フレーム毎又は所定数のフレーム毎に付される番号であることを特徴とする請求項１乃至４のいずれか１項に記載のテレビ放送受信装置。
【請求項６】
前記フレーム情報は、フレーム毎に付されるタイムスタンプであることを特徴とする請求項１乃至４のいずれか１項に記載のテレビ放送受信装置。
【請求項７】
前記信号処理部は、前記記録再生制御部が前記記録部から読み出した前記放送信号のストリームから一定の割合でフレームを間引く処理を行うことを特徴とする請求項１乃至６のいずれか１項に記載のテレビ放送受信装置。
【請求項８】
前記信号処理部は、
前記放送信号をビデオストリームとオーディオストリームに分離する分離手段と、
前記ビデオストリームの一部を抽出するストリーム抽出手段と、
前記抽出後の前記ビデオストリームを映像信号としてデコードするビデオデコーダと、
前記オーディオストリームを音声信号としてデコードするオーディオデコーダと、
前記映像信号と前記音声信号の再生を同期させ、前記映像音声信号として出力させる再生速度制御手段と
を有することを特徴とする請求項１乃至７のいずれか１項に記載のテレビ放送受信装置。
【発明の詳細な説明】
【技術分野】
【０００１】
本発明は、チューナー部で受信したテレビ放送信号に基づく映像音声信号を表示部に無線伝送するように構成されたテレビ放送受信装置に関するものである。
【背景技術】
【０００２】
近年、テレビ放送信号を受信するチューナー部で選択した放送チャンネルの映像音声信号を表示部に無線伝送するように構成されたテレビ放送受信装置が普及し始めている。このような無線伝送方式として、Ｗｉｒｅｌｅｓｓ  ＨＤ（Ｗｉｒｅｌｅｓｓ  Ｈｉｇｈ  Ｄｅｆｉｎｉｔｉｏｎ）方式、ＷＨＤＩ（Ｗｉｒｅｌｅｓｓ  Ｈｏｍｅ  Ｄｉｇｉｔａｌ  Ｉｎｔｅｒｆａｃｅ）方式、ＵＷＢ（超広帯域無線）方式などが提案されている（例えば、非特許文献１参照）。ここで、チューナー部から表示部に無線伝送される映像音声信号はベースバンドＨＤＴＶ（高精細テレビ）信号であり、例えば、非圧縮８ビットカラー、７２０ラインプログレッシブ、フレームレート６０Ｈｚの場合には、ビットレートは１．４Ｇｂｐｓになる。このような高ビットレートの映像音声信号を安定的に無線伝送するために、種々の対策が講じられている。
【０００３】
特許文献１は、映像データを粗部と精細部に分ける圧縮法とＭＩＭＯ（Ｍｕｌｔｉｐｌｅ  Ｉｎｐｕｔ  Ｍｕｌｔｉｐｌｅ  Ｏｕｔｐｕｔ）無線技術とを用いることによって、高ビットレートの映像データを、ノイズの多い環境下であっても、画像表示を中断させないように無線伝送して、表示部で表示させるためのシステムを提案している。
【先行技術文献】
【特許文献】
【０００４】
【特許文献１】特表２００７−５０７１４７号公報
【非特許文献】
【０００５】
【非特許文献１】“Ｗｉｒｅｌｅｓｓ  ＨＤ  ｐｒｅｐｓ  ｆｏｒ  ｌａｒｇｅ−ｓｃｒｅｅｎ  ｄｅｂｕｔ”、  シンコ  マエカワ、  Ｅｌｅｃｔｒｏｎｉｃ  Ｅｎｇｉｎｅｅｒｉｎｇ  Ｔｉｍｅｓ、  ２００８年６月２日、  ｐｐ．１０−１１
【発明の概要】
【発明が解決しようとする課題】
【０００６】
しかしながら、上記システムにおいては、無線伝送経路が一時的に遮られた場合や無線伝送の伝送帯域が無線ＬＡＮの伝送帯域と競合する場合などに、無線伝送が不可能になることがある。この場合には、無線伝送を一時的に継続できなくなり、表示部における映像表示が中断してしまい、テレビ番組の一部又は全部を見逃してしまうという問題がある。
【０００７】
そこで、本発明は、上記従来技術の課題を解決するためになされたものであり、その目的は、無線送信された映像データを正常に受信できず表示部における映像表示が中断した場合であっても、映像表示が中断した時点から映像表示を再開することができるテレビ放送受信装置を提供することである。
【課題を解決するための手段】
【０００８】
本発明に係るテレビ放送受信装置は、チューナー部と、情報を記録する記録部と、表示部とを有するテレビ放送受信装置であって、前記チューナー部は、放送信号を受信する放送信号受信部と、前記放送信号を前記表示部に適した形式の映像音声信号に変換する信号処理部と、前記映像音声信号を構成する映像信号のフレームに該フレームの順番を示すフレーム情報を付加するフレーム情報付加部と、前記フレーム情報が付加された前記映像音声信号を無線送信する無線送信部と、前記放送信号及び前記フレーム情報を前記記録部に記録させ、及び、前記記録部に記録されている前記放送信号を前記記録部から読み出す記録再生制御部と、前記無線送信部から無線送信された前記映像音声信号の受信状態情報を受信する受信状態検出部とを有し、前記表示部は、前記無線送信部から無線送信された前記映像音声信号を受信する無線受信部と、映像を表示する表示装置と、前記無線受信部で受信された前記映像音声信号に基づく映像を前記表示装置に表示させる表示処理部と、前記無線受信部で受信された前記映像音声信号でフレームの欠落が発生したか否かを判定し、フレームの欠落が発生したと判定した場合には、前記欠落したフレームのフレーム情報を含む判定結果を前記受信状態情報として前記受信状態検出部に送信する受信状態監視部とを有することを特徴としている。
【発明の効果】
【０００９】
本発明に係るテレビ放送受信装置によれば、表示部が無線送信された映像データを正常に受信できず表示部における映像表示が中断した場合であっても、映像表示が中断した時点に遡って映像表示を再開することができるという効果がある。
【図面の簡単な説明】
【００１０】
【図１】本発明の実施の形態１及び２に係るテレビ放送受信装置の構成を概略的に示すブロック図である。
【図２】実施の形態２に係るテレビ放送受信装置のデコーダの構成を概略的に示すブロック図である。
【図３】実施の形態２に係るテレビ放送受信装置のデコーダによるフレーム間引き処理を説明するための図である。
【発明を実施するための形態】
【００１１】
実施の形態１．
図１は、本発明の実施の形態１に係るテレビ放送受信装置の構成を概略的に示すブロック図である。図１に示されるように、実施の形態１に係るテレビ放送受信装置は、放送信号を受信し、受信した放送信号に基づく映像音声信号を無線送信するチューナー部１と、チューナー部１が受信した放送信号を記録する記録部２と、チューナー部１から無線送信された映像音声信号を受信し、映像を表示する表示部３とを備えている。
【００１２】
図１に示されるように、チューナー部１は、放送信号を受信するＲＦ受信部（放送信号受信部）１１と、放送信号を前記表示部に適した形式の映像音声信号に変換する信号処理部１８（デジタル復調器１２及びデコーダ１３）と、映像音声信号を構成する映像信号のフレームに該フレームの順番を示すフレーム情報を付加するフレーム情報付加部１５と、フレーム情報が付加された映像音声信号を無線送信する無線送信部１６と、放送信号及びフレーム情報を記録部２に記録させ、及び、記録部２に記録されている放送信号を読み出す記録再生制御部１４と、無線送信部１６から無線送信された映像音声信号の表示部３における受信状態情報を表示部３から受信する受信状態検出部１７とを備えている。
【００１３】
ＲＦ受信部１１は、アンテナ４（又は、図示しないネットワーク回線など）を経由して入力されるテレビ放送信号であるＲＦ信号を受信する。ＲＦ受信部１１で受信されたＲＦ信号は、ＶＳＢ（残留側波帯）変調方式、ＱＡＭ（直交振幅変調）方式、ＯＦＤＭ（直交周波数分割多重）方式などでデジタル変調されている。デジタル復調器１２は、ＲＦ受信部１１からのＲＦ信号を復調して放送信号を出力する。デコーダ１３は、デジタル復調器１２から出力された放送信号を受け取り、圧縮された放送信号から元の信号を復元し、映像音声信号として出力する。復元された映像音声信号は、無線送信部１６から表示部３の無線受信部３２に無線送信され、無線送信された映像音声信号に基づく映像が表示部３の表示装置３４で表示される。フレーム情報付加部１５は、デコーダ１３から出力された映像音声信号を受け取り、フレームの時間的位置を示すフレーム情報（例えば、無線送信部１６による送信を開始した映像フレームをフレーム番号「０」とし、以降の映像フレームで順に１ずつ増加するフレーム番号など）を表示部３に無線送信する信号に付加する。無線送信部１６は、フレーム情報付加部１５から、フレーム情報が付加された映像音声信号を受け取り、受け取った映像音声信号を表示部３に無線送信する。
【００１４】
記録再生制御部１４は、記録部２の動作を制御し、デジタル復調器１２から出力される放送信号を記録部２に送信して記録部２で記録させると共に、必要に応じて記録部２から記録された放送信号を読み出す。
【００１５】
また、図１に示されるように、表示部３は、無線送信部１６から無線送信された映像音声信号を受信する無線受信部３２と、映像を表示する表示装置３４と、無線受信部３２で受信された映像音声信号に基づく映像を表示装置３４に表示させる表示処理部３３と、無線受信部３２で受信された映像音声信号の受信状態情報を受信状態検出部１７に送信する受信状態監視部３１とを備えている。
【００１６】
表示処理部３３は、例えば、少なくとも１フレーム分のフレームバッファを持ち、無線受信部３２から映像音声信号を受け取り、受け取った映像音声信号を表示装置３４における表示に適した信号に変換する。表示装置３４は、例えば、ＬＣＤやプラズマ表示パネルなどであって、表示処理部３３から受け取った映像信号に基づいて映像を表示する。受信状態監視部３１は、無線受信部３２における映像音声信号の受信状態を監視すると共に、チューナー部１のフレーム情報付加部１５で挿入されたフレーム情報を監視して連続したフレームを再生できているかを確認する。言い換えれば、受信状態監視部３１は、無線受信部３２で受信された映像音声信号でフレームの欠落が発生したか否かを判定し、フレームの欠落が発生したと判定した場合には、欠落したフレームのフレーム情報を含む判定結果を受信状態情報として受信状態検出部１７に送信する。
【００１７】
また、図１に示されるように、記録部２は、放送信号送受信部２１と、ディスク制御部２２と、ハードディスクドライブ（ＨＤＤ）２３とを備えている。
【００１８】
放送信号送受信部２１は、チューナー部１からの放送信号を受信し、ディスク制御部２２に放送信号を出力する。ディスク制御部２２は、放送信号送受信部２１から受け取った放送信号をＨＤＤ２３に書き込む。さらに、ディスク制御部２２は、必要に応じてＨＤＤ２３から放送信号を読み出し、読み出された放送信号を放送信号送受信部２１に出力する。放送信号送受信部２１は、読み出された放送信号を記録再生制御部１４に送出する。なお、記録部２における記録媒体がＨＤＤである場合を説明したが、記録媒体は放送信号を記録できるものであれば半導体メモリなどのような他の種類の記録媒体であってもよい。
【００１９】
次に、実施の形態１に係るテレビ放送受信装置の動作について説明する。アンテナ４から入力されたテレビ放送信号は、ＲＦ受信部１１でＲＦ信号として受信される。ＲＦ信号は、デジタル復調器１２で復調処理が行われ、放送信号として出力される。ここで放送信号は、ＭＰＥＧ規格などにより圧縮されたデジタル映像音声信号である。デジタル復調器１２から出力された放送信号は、デコーダ１３で復号処理されて、ベースバンド信号としての映像音声信号に変換され、この変換された映像音声信号はフレーム情報付加部１５に入力される。フレーム情報付加部１５は、各フレームの時間的位置を示すフレーム情報を映像音声信号に付加する。例えば、フレーム情報付加部１５は、無線送信部１６による送信を開始した映像フレームをフレーム番号「０」とし、以降の映像フレームで順に１ずつ増加する番号をフレーム番号として付加する。フレーム番号が付加された映像音声信号は、無線送信部１６から表示部３へ無線送信される。
【００２０】
デジタル放送では、ＭＰＥＧ規格が採用される場合が多く、この場合には、動画データは、所定数のピクチャを１つのグループにまとめたＧＯＰ（Ｇｏｕｒｐ  ｏｆ  Ｐｉｃｔｕｒｅｓ）を単位としてデコードがなされる。したがって、フレーム毎にフレーム番号を順に付与した場合には、各ＧＯＰに対応するフレーム番号の範囲を知ることができる。このため、記録再生制御部１４では、例えば、ＧＯＰの最初のフレームのフレーム番号を、付加情報として放送信号に付加し記録部２に送出するようにしても良い。また、ＧＯＰ毎に、ＧＯＰの最初のフレームのフレーム番号を、付加情報として付加しても良く、又は、所定数のＧＯＰ毎に、ＧＯＰの最初のフレームのフレーム番号を、付加情報として付加しても良い。なお、記録再生制御部１４が記録部２に記録する放送信号に付加するフレーム情報と、フレーム情報付加部１５が無線送信される映像音声信号に付加するフレーム情報とは互いに対応する情報である。
【００２１】
表示部３は、チューナー部１の無線送信部１６から無線送信される映像音声信号を、無線受信部３２で受信し、表示処理部３３において、表示装置３４で表示するのに適した信号形式に変換する。変換された映像音声信号は表示処理部３３から表示装置３４に入力されて、表示装置３４で映像音声信号に基づく映像が表示される。
【００２２】
受信状態監視部３１は、無線受信部３２における無線送信の受信状態を監視し、受信状態が良好か不良かを判定する。受信状態の判定方法としては、例えば、無線送信部１６において映像音声信号に誤り検出符号を挿入し、無線受信部３２における誤り率を算出し、算出された誤り率が所定値以下のときに受信状態が良好と判定し、所定値を超えるときに不良と判定するなどの方法がある。
【００２３】
また、受信状態監視部３１は、受信状態の判定結果と、無線受信部３２で受信した映像信号から無線受信部３２で受信した映像音声信号に付加されたフレーム情報を取得し、すべてのフレームが正常に受信されたか否かを判定する。例えば、無線送信部１６による送信を開始した映像フレームをフレーム番号「０」とし、以降のフレームで順に１ずつ増加する番号をフレーム番号として付加する場合には、受信状態監視部３１は、受信した映像信号のフレームが連続するか否かを確認する。受信状態監視部３１は、受信したフレームが連続しない場合に、フレームの欠落が発生したことを検出する。受信状態監視部３１は、欠落の発生が検出されたときには、欠落が検出される直前のフレームを表示処理部３３で蓄積しておき、チューナー部１の受信状態検出部１７に対して欠落したフレーム番号を、無線又は有線で送信する。受信状態監視部３１が、欠落したフレーム番号を無線送信する構成の場合には、受信状態監視部３１は無線送信手段を備え、受信状態検出部１７は無線受信手段を備える。
【００２４】
受信状態監視部３１が無線通信の状態を不良と判定すると、表示処理部３３は、例えば、無線通信の状態が不良になる前の正常に受信したフレームを静止画として表示装置３４に送出する。
【００２５】
受信状態検出部１７は、受信状態監視部３１の判定結果を受信し、フレームが欠落したことを検出すると、記録部２に記録された放送信号から、欠落したフレームから再生が開始できるようにするための準備を記録再生制御部１４に指示する。このため、記録再生制御部１４は、少なくともデコーダ１３から出力された映像信号が欠落したことが受信状態検出部１７に通知されるまでに要する最大時間、すなわち、デコード遅延と無線送信による遅延に、その他処理による遅延を加算した合計の遅延時間（最大遅延時間）より長い時間分の放送信号を常に記録部２で記録しておくように、動作を設定しておく。フレームの欠落が生じた際には、チューナー部１から表示部３への無線送信が確立するまで記録を継続する。すなわち、記録部２は、少なくとも上記最大遅延時間分の信号を記録しておき、チューナー部１からの無線送信が再開できた時点で、無線送信が正常に受信できなかったフレームの映像音声信号から、無線送信を開始するので、表示処理部３３は、表示処理部３３で保持していたフレームの次のフレームから表示を再開することができ、表示内容の欠落が発生しない。
【００２６】
また、正常な無線伝送が途切れた後に、チューナー部１と表示部３との間の正常な無線伝送状態が回復、すなわち、受信状態検出部１７で受信状態が良好であると判定すると、記録再生制御部１４は、記録部２に対して、放送信号の記録を続けつつ、ＨＤＤ２３に記録した放送信号を再生する指示を出す。すると、放送信号はＨＤＤ２３からディスク制御部２３を介して放送信号送受信部２１に読み出され、さらに記録再生制御部１４に送信される。こうして再生された放送信号のストリームは、デコーダ１３に送られ、デジタル復調器１２からの出力に代えてデコードされる。その後、記録部２から読み出された放送信号はデジタル復調器１２から出力される放送信号と同様の処理がなされ、無線送信部１６から映像音声信号として表示部３に無線送信される。
【００２７】
表示処理部３３が、正常に受信した映像の静止画像を表示装置３４に表示させているときには、表示されている静止画像のフレームの次のフレーム番号を持つフレームから表示が再開されるので、表示装置３４においてスムーズな映像の表示が可能になる。
【００２８】
なお、実施の形態１においては、記録再生制御部１４は、無線通信の受信状態が良好であり映像音声信号が無線伝送され表示装置３４で表示された放送信号をＨＤＤ２３から消去するように制御しても良い。また、上記最大遅延時間に相当する放送信号を、通常は、ＨＤＤ２３とは別に設けたバッファメモリ（図示せず）に蓄積しておき、正常な無線伝送が再開できるまでに長時間記録が必要な場合（バッファメモリの容量が不足する場合）にのみＨＤＤ２３に記録するように構成しても良い。
【００２９】
また、記録部２に蓄積される信号は、必要な記憶容量を削減するために、デコードされる前のストリーム、デジタルテレビ放送受信の場合は、一般にＭＰＥＧ２ストリームの形式で記録する。デコーダ１３によるデコード処理は、ＧＯＰの先頭フレームから行う必要があるので、無線状態が回復するまでの間に、無線送信部１６から無線伝送が不良となったフレーム番号のフレームを無線伝送するために、当該フレームを含むＧＯＰをデコードし当該フレームから無線伝送を再開できるように準備しておく。
【００３０】
さらに、実施の形態１においてフレーム情報付加部１５において付加するフレーム情報として、時間を使用してもよい。ここで、フレーム情報付加部１５で付加する時間には、現在時刻、ＭＰＥＧデコードで使用されるＰＴＳ（Ｐｒｅｓｅｎｔａｔｉｏｎ  Ｔｉｍｅ  Ｓｔａｍｐ）などがある。この場合には、ＭＰＥＧで圧縮された映像音声信号のデコードを行う際に使用する時間情報をフレーム番号に変わりに使用することができるので、フレームを数える必要がなくなる。
【００３１】
以上に説明したように、実施の形態１に係るテレビ放送受信装置は、チューナー部１と、表示部３と、記録部２とを備え、表示部３は、フレームの欠落を検出した際には、欠落したフレームをチューナー部１に伝達し、チューナー部１は、表示部３から送られてきたフレーム情報に基づき欠落したフレームから記録部２に蓄えたストリームを読み出してデコードし、表示部３に送出するので、チューナー部１と表示部３との間の受信状態が悪化している間停止していた表示部３の画面にスムーズに繋がるように映像表示を再開することができる。このため、実施の形態１に係るテレビ放送受信装置によれば、無線伝送が正常に行うことができない期間が存在した場合であっても、視聴者は、無線伝送状態の回復後にテレビ放送の続きの部分を視聴することができ、よって、視聴者は、テレビ放送の一部又は全部を見逃さずに済む。
【００３２】
実施の形態２．
本発明の実施の形態２に係るテレビ放送受信装置は、放送信号を映像音声信号に復号するデコーダ１３ａに、記録再生制御部１４から受け取った放送信号の再生時間を短縮する機能を追加した点が、実施の形態１に係るテレビ放送受信装置と相違する。この相違点を除き、実施の形態２に係るテレビ放送受信装置は、実施の形態１に係るテレビ放送受信装置と同じである。したがって、実施の形態２の説明においては、図１を参照する。
【００３３】
図２は、実施の形態２に係るテレビ放送受信装置のデコーダ１３ａの構成を概略的に示すブロック図である。図２に示されるように、デコーダ１３ａは、デマルチプレクサ１３０と、ストリーム抽出部１３１と、ビデオデコーダ１３２と、ビデオストリーム解析部１３３と、再生速度制御部１３４と、オーディオデコーダ１３５とを備えている。
【００３４】
デマルチプレクサ１３０は、記録再生制御部１４から映像信号と音声信号が多重された放送信号を受け取り、受け取った放送信号をビデオストリームとオーディオストリームに分離する。ビデオストリーム解析部１３３は、デマルチプレクサ１３０からビデオストリームを受け取り、受け取ったビデオストリームを解析して抽出すべきストリーム位置を決定する。ストリーム抽出手段１３１は、デマルチプレクサ１３０からビデオストリームを受け取り、デコード可能な形でビデオストリームの一部を切り出す、すなわち、フレームを間引く。ビデオデコーダ１３２は、ストリーム抽出部１３１からビデオストリームを受け取り、受け取ったビデオストリームをＭＰＥＧ２規格に従ってデコードして、映像信号を出力する。
【００３５】
オーディオデコーダ１３５は、デマルチプレクサ１３０からオーディオストリームを受け取り、受け取ったオーディオストリームをＭＰＥＧ２規格に従ってデコードして音声信号を出力する。オーディオデコーダ１３５は、再生速度制御部１３４からの制御信号を受け取ってクロック周波数を調整することにより、ビデオデコーダ１３２のデコードにより生成される映像信号の再生速度に合わせて、デコードを行う。
【００３６】
実施の形態２に係るテレビ放送受信装置において、チューナー部１は、放送信号をデコードするデコーダ１３ａを備え、デコーダ１３ａは、記録再生制御部１４によって読み出された放送信号のストリームから一定の割合でフレームを間引いてデコードし、映像音声信号として出力する。表示部３による表示が途切れた間のテレビ放送信号は、記録部２で記録され、チューナー部１と表示部３との間の無線送信状態が正常になった後に再生を再開する。再生再開直後の再生を、通常再生よりも再生速度が速い高速再生することにより、ＲＦ受信部１１が受信中のテレビ放送に追いつくことができ、追いついた以降の放送信号の記録部２への記録をしなくても、表示部３における映像の表示が可能になる。
【００３７】
図３は、ビデオストリームの各フレームを示す図である。ＭＰＥＧ２形式で符号化された放送信号のビデオストリームは、図３に示されるように、各フレームをイントラフレーム（Ｉフレーム）、予測フレーム（Ｐフレーム）、双方向予測フレーム（Ｂフレーム）の３種類に分けてエンコードされる。図３において、Ｉは、Ｉフレームを示し、Ｉフレームは、フレーム内に閉じた符号化が行われ他のフレームに依存することなくデコードしてフレーム画面を得ることができるフレームである。Ｐは、Ｐフレームを示し、Ｐフレームは、先行するＩフレーム又はＰフレームから動き補償予測によってフレーム間の差分を符号化するため、フレーム内で閉じたＩフレームよりは少ないデータ量で１フレーム分を符号化できる。Ｂは、Ｂフレームを示し、Ｂフレームは、直前のＩ又はＰフレームと直後のＩ又はＰフレームの双方から動き補償予測に基づく最小量のデータとなるように符号化したフレームである。
【００３８】
実施の形態２においては、再生速度を上げるために、デコードするストリームから一定の割合でフレームを間引く。例えば、放送信号は３０フレーム／秒であるため、１秒につき１フレームを間引く場合には、３０／２９倍速で再生が行われる。
【００３９】
ここで、フレームを間引く処理は、デコード後の映像信号からフレームを間引く方法と、デコード前の映像信号からフレームを間引く方法とがある。再生速度を上げるためには、速くなった再生速度に応じてデコーダ１３ａも高速で信号処理を実行しなければならず、ビデオデコーダ１３２として、通常の再生よりも高速で信号処理を実行できるものが必要になる。そこで、実施の形態２においては、信号処理量をより少なくできる方法、すなわち、フレームを間引いた後でデコードする場合を説明する。
【００４０】
次に、実施の形態２におけるデコーダ１３ａの動作を説明する。デジタル復調器１２からデマルチプレクサ１３０に入力した放送信号は、ビデオストリームとオーディオストリームに分離される。ビデオストリームはビデオストリーム解析部１３３に送られて、間引くべきフレームに対応したストリーム部分が決定される。ビデオストリーム解析部１３３は、再生速度制御部１３４から送られてくる再生速度指示に基づき一定周期毎に間引くべきフレーム数を算出している。
【００４１】
Ｉフレームを間引いた場合には、間引かれたＩフレームの後に存在するＰフレーム又はＢフレームがデコードできなくなり、Ｐフレームを間引くと、間引かれたＰフレームの前後に存在するＢフレームがデコードできなくなり、その結果、次のＩフレームまで映像が表示できなくなる。そのため、間引き対象とするフレームはＢフレームであることが望ましい。間引くべきＢフレームが存在しない場合には、Ｉフレームの直前のＰフレームを間引くように、ビデオストリーム解析部１３３はストリーム抽出部１３１に対して指示を出す。
【００４２】
ストリーム抽出部１３１は、ビデオストリーム解析部１３３の指示に従ってフレームを間引き、フレームが間引かれたビデオストリームをビデオデコーダ１３２に送る。ビデオデコーダ１３２は、受け取ったビデオストリームをデコードする。
【００４３】
ビデオデコーダ１３２は、入力ストリームを順次デコードし、フレームのドロップ（間引きによる欠落）を検出すると、次のフレームのデータまでスキップしてデコードを続ける。このとき、例えば、１秒間に３０フレームの一定レートでビデオストリームがストリーム抽出部１３１に入力され続ければ、ストリーム抽出部１３１でドロップするフレームの割合に応じて再生速度を調整できる。一方、音声については、オーディオデコーダ１３５のクロック周波数を高めるなどにより、デコード速度を早くして対応する。ビデオとオーディオが同期した速度でデコードが行われるよう再生速度制御部１３４がビデオ、オーディオ両者の再生を制御する。
【００４４】
以上に説明したように、実施の形態２に係るテレビ放送受信装置において、チューナー部１は、放送信号をデコードするデコーダ１３ａを備え、デコーダ１３ａは、記録再生制御部１４によって読み出された放送信号のストリームから一定の割合でフレームを間引いてデコードし、映像音声信号として出力する。このため、実施の形態２に係るテレビ放送受信装置表示部３によれば、映像表示が途切れた間のテレビ放送は、記録部２で記録され、無線伝送状態が回復した後に読み出して再生するが、高速再生することにより実際の放送に追いつくことができ、それ以降の放送の記録を不要にすることができる。
【００４５】
さらに、実施の形態２に係るテレビ放送受信装置のデコーダ１３ａは、放送信号をビデオストリームとオーディオストリームに分離する分離手段としてのデマルチプレクサ１３０と、ビデオストリームの一部を抽出するストリーム抽出部１３１と、抽出後のビデオストリームを映像信号としてデコードするビデオデコーダ１３２と、オーディオストリームを音声信号としてデコードするオーディオデコーダ１３５と、映像信号と音声信号の再生を同期させ、映像音声信号として出力させる再生速度制御部１３４とを備えている。このため、高速再生された映像に合わせて音声信号も高速再生することにより、映像と音声の同期がとれ映像と音声がずれることなく再生することが出来るので、映像と音声がずれることによる違和感がなくなる。
【符号の説明】
【００４６】
１  チューナー部、  ２  記録部、  ３  表示部、  ４  アンテナ、  １１  ＲＦ受信部、  １２  デジタル復調器、  １３，１３ａ  デコーダ、  １４  記録再生制御部、  １５  フレーム情報付加部、  １６  無線送信部、  １７  受信状態検出部、  １８  信号処理部、  ２１  放送信号送受信部、  ２２  ディスク制御部、  ２３  ハードディスクドライブ、  ３１  受信状態監視部、  ３２  無線受信部、  ３３  表示処理部、  ３４  表示装置、  １３０  デマルチプレクサ、  １３１  ストリーム抽出部、  １３２  ビデオデコーダ、  １３３  ビデオストリーム解析部、  １３４  再生速度制御部、  １３５  オーディオデコーダ。
【図１】
2011049670.tif 000003
【図２】
2011049670.tif 000004
【図３】
2011049670.tif 000005